(57)【要約】【課題】ネットワークの帯域が十分に確保できない回線においても、状況に応じてコンテンツの提供者が意図したコンテンツを、ユーザによる選択操作を必要とせずに高品質で再生するコンテンツ受信再生方法を提供する。【解決手段】サーバとコンテンツ受信再生装置とを有するコンテンツ配信システムにおけるコンテンツ受信再生方法であって、コンテンツ受信再生装置は、映像コンテンツの提供者が意図する映像コンテンツの視聴対象者に関する情報である再生関連情報をサーバからダウンロードする再生関連情報取得ステップＳ１０３と、コンテンツダウンロードステップＳ１０６と、取得した再生関連情報に指定された映像コンテンツの視聴対象者に関する情報と、コンテンツ受信再生装置の外部から取得した視聴者の属性に関する情報とに基づいて、再生する映像コンテンツを選択する再生コンテンツ選択ステップＳ１０７と、コンテンツ再生ステップＳ１０８とを実行する。【選択図】図１
2010016534.tif 000002
【特許請求の範囲】
【請求項１】
映像コンテンツを配信するサーバと、前記サーバからネットワーク経由で１または複数の映像コンテンツを受信し、受信した前記映像コンテンツを再生するコンテンツ受信再生装置とを有するコンテンツ配信システムにおけるコンテンツ受信再生方法であって、
前記コンテンツ受信再生装置は、
前記映像コンテンツの再生を制御する情報に加えて、前記映像コンテンツの提供者が意図する前記映像コンテンツの視聴対象者に関する情報である再生関連情報を前記サーバからダウンロードする再生関連情報取得ステップと、
前記コンテンツ受信再生装置に既に格納されている前記映像コンテンツについて、前記サーバに更新されたものが存在する場合には、更新された前記映像コンテンツをダウンロードするコンテンツダウンロードステップと、
取得した前記再生関連情報に指定された前記映像コンテンツの視聴対象者に関する情報と、前記コンテンツ受信再生装置の外部から取得した視聴者の属性に関する情報とに基づいて、再生する１または複数の前記映像コンテンツを選択する再生コンテンツ選択ステップと、
選択された前記映像コンテンツの再生を行うコンテンツ再生ステップとを実行することを特徴とするコンテンツ受信再生方法。
【請求項２】
請求項１に記載のコンテンツ受信再生方法において、
前記コンテンツ受信再生装置が実行する前記コンテンツ再生ステップでは、
再生する対象となる前記各映像コンテンツに、前記コンテンツ受信再生装置のチャンネルをそれぞれ関連付け、前記チャンネルを切り替えることにより、再生する前記映像コンテンツを順次切り替えることを特徴とするコンテンツ受信再生方法。
【請求項３】
請求項１に記載のコンテンツ受信再生方法において、
前記コンテンツ受信再生装置が実行する前記再生コンテンツ選択ステップでは、
前記コンテンツ受信再生装置の操作により、視聴者の属性に関する情報を切り替えて、再生する１または複数の前記映像コンテンツを動的に選択し直すことを特徴とするコンテンツ受信再生方法。
【請求項４】
映像コンテンツを配信するサーバから、ネットワーク経由で１または複数の映像コンテンツを受信し、受信した前記映像コンテンツを再生するコンテンツ受信再生装置であって、
前記映像コンテンツの再生を制御する情報に加えて、前記映像コンテンツの提供者が意図する前記映像コンテンツの視聴対象者に関する情報である再生関連情報を前記サーバからダウンロードし、また、該コンテンツ受信再生装置に既に格納されている前記映像コンテンツについて、前記サーバに更新されたものが存在する場合には、更新された前記映像コンテンツをダウンロードするダウンロード部と、
取得した前記再生関連情報に指定された前記映像コンテンツの視聴対象者に関する情報と、該コンテンツ受信再生装置の外部から取得した視聴者の属性に関する情報とに基づいて、再生する１または複数の前記映像コンテンツを選択し、選択された前記映像コンテンツの再生を制御する再生制御部とを有することを特徴とするコンテンツ受信再生装置。
【発明の詳細な説明】
【技術分野】
【０００１】
本発明は、コンテンツが配信されるネットワークに対応する送信装置、受信端末、およびそれらを含むシステムにおける、コンテンツの受信再生方法に適用して有効な技術に関するものである。
【背景技術】
【０００２】
インターネットのブロードバンド化が進み、広帯域データ通信を利用したアプリケーションが増えつつある。コンピュータにおけるそのようなアプリケーションとして、インターネットを利用した映像コンテンツのストリーミング視聴が行われるようになってきている。
【０００３】
コンテンツをネットワークで配信することに関しては、マルチキャストが注目されている。マルチキャストとは、送信側からは特定のマルチキャストグループ用のアドレスにデータを送信し、マルチキャストグループに所属する端末だけがそのデータを受信できる仕組みである。ＩＰ（Internet Protocol）を利用したＩＰマルチキャストに関しては、非特許文献１〜３等に記載されている。
【０００４】
一方、テレビにおいても、ネットワークを利用したポータルサービスや、高品質な映像コンテンツのＶｏＤ（Video on Demand）サービスが開始されている。テレビは、コンピュータと比較して手軽な操作で映像を楽しむことができるとともに、高画質大画面を活かした高品質な映像を楽しむことができる。
【０００５】
このように、ネットワークを利用したコンテンツサービスは、映像世界に新たな視聴スタイルを提供する一方で、ＶｏＤなどによりコンテンツを配信するためにはネットワークの帯域が必要となる。光ファイバネットワークが普及してきているとは言え、ＡＤＳＬ（Asymmetric Digital Subscriber Line）を利用している世帯も依然多い中、全世帯に高品質なＶｏＤを提供することは不可能である。
【０００６】
これらの、コンピュータやテレビにおけるコンテンツの配信サービスでは、ユーザが所望のコンテンツを選択して再生、視聴するサービスが基本である。一方、コンテンツの提供者側がユーザに対して提示したいコンテンツを再生するプッシュ型の再生方法もある。
【０００７】
これらの再生方法をうまく融合させ、コンテンツの提供者側が提示したいコンテンツの中からユーザが希望すると思われる内容のコンテンツを再生可能とする仕組みとして、例えば、何らかのイベント等をトリガとして当該イベントやユーザ等に関する情報を取得して、これらの情報に基づいて状況に応じた適当なコンテンツを配信・提供する仕組みが提案されている。
【０００８】
例えば、特許文献１には、スケジュール再生モードによる広告表示用情報の再生中に、閲覧者によるマウス操作等といった、広告を閲覧するための自発的に意図した動作をトリガとするのではなく、閲覧者の意思とは無関係な他のイベントをトリガとして、イベントの種類に応じたプッシュ型メニュー表示モードに切り替える技術が開示されている。
【特許文献１】特開２００７−２８６９００号公報
【非特許文献１】RFC1112, "Host Extension for IP Multicasting", IETF, 1989
【非特許文献２】RFC2236, "Internet Group Management Protocol, Version2", IETF, 1997
【非特許文献３】RFC2710, "Multicast Listener Discovery (MLD) for IPv6", IETF, 1999
【発明の開示】
【発明が解決しようとする課題】
【０００９】
特許文献１に開示された技術では、ユーザが端末で所望の広告を見ようとコンテンツを選択するという自発的な行動を伴わず、イベントの種類等に応じて提供されるプッシュ型メニューの中から選択する形でコンテンツを選択して広告を見るということを可能としており、全コンテンツの一覧から所望のコンテンツを選択するという操作は省略可能となる。
【００１０】
しかし、コンテンツをプッシュ型メニューの中から選択するため、テレビのチャンネル選択（例えば、ザッピング操作）のような思考によらない操作方法は提供されていない。また、時間帯や端末の場所等の情報に対応して、コンテンツ提供者が意図したコンテンツを自動的に再生する方法は提供されていない。さらに、広告コンテンツの配信をオンデマンド配信とブロードキャスト配信で実現しているため、先に述べたように、ネットワークがオンデマンド配信に十分な帯域が確保できない場合、高品質な広告コンテンツの配信は困難になる。
【００１１】
そこで本発明の目的は、ネットワークの帯域が十分に確保できない回線においても、状況に応じてコンテンツの提供者が意図したコンテンツを、ユーザによる選択操作を必要とせずに高品質で再生するコンテンツ受信再生方法およびコンテンツ受信再生装置を提供することにある。本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、以下のとおりである。
【００１３】
本発明の代表的な実施の形態によるコンテンツ受信再生方法は、映像コンテンツを配信するサーバと、前記サーバからネットワーク経由で１または複数の映像コンテンツを受信し、受信した前記映像コンテンツを再生するコンテンツ受信再生装置とを有するコンテンツ配信システムにおけるコンテンツ受信再生方法であって、前記コンテンツ受信再生装置は、前記映像コンテンツの再生を制御する情報に加えて、前記映像コンテンツの提供者が意図する前記映像コンテンツの視聴対象者に関する情報である再生関連情報を前記サーバからダウンロードする再生関連情報取得ステップと、前記コンテンツ受信再生装置に既に格納されている前記映像コンテンツについて、前記サーバに更新されたものが存在する場合には、更新された前記映像コンテンツをダウンロードするコンテンツダウンロードステップと、取得した前記再生関連情報に指定された前記映像コンテンツの視聴対象者に関する情報と、前記コンテンツ受信再生装置の外部から取得した視聴者の属性に関する情報とに基づいて、再生する１または複数の前記映像コンテンツを選択する再生コンテンツ選択ステップと、選択された前記映像コンテンツの再生を行うコンテンツ再生ステップとを実行することを特徴とするものである。
【発明の効果】
【００１４】
本願において開示される発明のうち、代表的なものによって得られる効果を簡単に説明すれば以下のとおりである。
【００１５】
本発明の代表的な実施の形態によれば、ネットワークの帯域が十分に確保できない回線においても、ユーザ属性などの状況に応じてコンテンツ提供者が意図したコンテンツを、ユーザによるコンテンツの選択操作を必要とせずに高品質で再生するコンテンツ受信再生方法およびコンテンツ受信再生装置を実現することが可能となる。
【発明を実施するための最良の形態】
【００１６】
以下、本発明の実施の形態を図面に基づいて詳細に説明する。なお、実施の形態を説明するための全図において、同一部には原則として同一の符号を付し、その繰り返しの説明は省略する。また、以下においては、本発明の特徴を分かり易くするために、従来の技術と比較して説明する。
【００１７】
＜概要＞
図５は、従来技術による、コンテンツの受信から再生までの流れの例を示すフローチャートである。まず、ブラウザ等のソフトウェアなどにより、サーバ等から視聴可能なコンテンツの一覧を取得して提示し（Ｓ５０１）、ユーザは一覧の中から再生するコンテンツを選択する（Ｓ５０２）。その後、ソフトウェアなどによって実装されるダウンローダによって、選択されたコンテンツをストリーミングやダウンロード等する際に必要となる情報であるダウンロード制御情報と、コンテンツをプレーヤーで再生する際に必要となる情報である再生制御情報とをダウンロードする（Ｓ５０３）。
【００１８】
その後、コンテンツの再生を行うソフトウェアやＡＶプレーヤーなどにおいて、視聴可能なコンテンツが一覧表示され（Ｓ５０４）、その中からユーザが選択したコンテンツが、ダウンロード制御情報や再生制御情報に基づいて再生される（Ｓ５０５）。このように、コンテンツのダウンロードや再生の際に、ユーザが一覧の中から視聴したいコンテンツを選択する形態をとる。
【００１９】
本発明の一実施の形態であるコンテンツ配信システムは、ＶｏＤやコンテンツダウンロードに対応したネットテレビに対応したシステム、サーバ、端末等において、コンテンツの更新状態を確認し、最新のコンテンツを蓄積する。また、各コンテンツの再生関連情報に基づいて、ユーザ属性などの状況に応じてコンテンツ提供者が意図したコンテンツを自動再生し、さらに外部入力等をトリガとしてコンテンツの再生を制御する機能を有する。
【００２０】
＜実施の形態＞
図１は、本実施の形態のコンテンツ配信システムにおける、電源をＯＮしてからコンテンツを再生するまでの処理の例を示すフローチャートである。コンテンツ受信再生装置の電源をＯＮすると、コンテンツの自動再生を行うか、通常のコンテンツ受信再生装置として起動するかの設定を判別する（Ｓ１０１）。自動再生を行う設定であれば自動再生処理へ移行し、そうでない場合はコンテンツ受信再生装置の通常起動処理を行う（Ｓ１０２）。
【００２１】
コンテンツの自動再生は、当該コンテンツについての再生関連情報に基づいて処理を行う。図２は、再生関連情報１３０の一例を示した図である。再生関連情報１３０は、コンテンツ提供者がコンテンツと共に配信用のサーバに登録する情報で、既存のネットテレビ等で用いられている再生制御情報であるＥＣＧ（Electronic Content Guide）の情報（コンテンツの一覧表示に利用するタイトル、ジャンル、再生時間、ビットレートやパレンタル等の情報）を含んでいる。本実施の形態では、再生制御情報が再生関連情報１３０に含まれる形になっているが、再生制御情報を別に管理してもよい。
【００２２】
再生関連情報１３０は、上記に加えて、当該コンテンツの視聴対象者に関する情報（例えば、年齢、性別、対象（ビジネス、個人または家族連れ）等）も含んでいる。さらにコンテンツの更新日時やバージョン、再生順、再生指定時刻などの情報を含んでいてもよい。なお、再生関連情報１３０は、単体のコンテンツの情報だけでなく、複数のコンテンツをまとめたパッケージの情報を含んでいる場合もある。
【００２３】
図１において、コンテンツの自動再生では、まずサーバから、コンテンツ提供側が見せたい視聴対象者層別に用意したコンテンツに関する再生関連情報１３０を取得して、コンテンツもしくはパッケージされたコンテンツについて登録されている情報を取得する（Ｓ１０３）。その後、サーバから、当該コンテンツについてのダウンロード制御情報を取得する（Ｓ１０４）。
【００２４】
次に、取得したダウンロード制御情報と、コンテンツ受信再生装置内に既に格納されているコンテンツの情報とを比較してコンテンツの更新の有無を判定し（Ｓ１０５）、コンテンツが更新されている場合は新たにダウンロードする（Ｓ１０６）。コンテンツのダウンロード後、再生関連情報１３０に記載されている内容およびユーザに関する属性情報に基づいて再生するコンテンツを自動的に選択し（Ｓ１０７）、対象視聴者向けのコンテンツ再生を行う（Ｓ１０８）。
【００２５】
例えば、本実施の形態のコンテンツ配信システムをカーディーラーなどのショールームでの広告情報提供に適用する場合を例としてさらに説明する。カーディーラーを訪れる客層は、季節、曜日、時間帯、ショールームでのイベント開催等の条件で変化することが考えられる。本実施の形態のコンテンツ配信システムは、コンテンツ提供者が、ショールームを訪れる客層について前記条件等を考慮して再生関連情報１３０および来客者に関する属性情報を登録し、ショールームに設置されたコンテンツ受信再生装置で、来客者のニーズに即したコンテンツを自動的に再生する。すなわち、コンテンツ提供者の意図に沿った内容の映像を再生できることが特徴である。
【００２６】
以下、本実施の形態のコンテンツ配信システムにおけるコンテンツ受信再生装置の具体的な内容について図３、図４を用いて説明する。図３は、本実施の形態のコンテンツ配信システムにおける、コンテンツ受信再生装置のハードウェア構成の一例を示す図である。また、図４は、本実施の形態のコンテンツ配信システムにおける、コンテンツ受信再生装置内のコンテンツ制御部の機能ブロックの一例を示す図である。
【００２７】
図３において、コンテンツ受信再生装置１００は、放送受信制御部１０１、ＩＰ放送受信／通信制御部１０２、ストレージ１０３、ＣＰＵ１０４、メインメモリ１０５、リモコン情報制御部１０６、リモコン送受信部１０７、メディア処理／表示制御部１０８、ワークメモリ１０９、ディスプレイ１１０、スピーカ１１１、コンテンツ制御部１２０を有し、これら各部がバスによって接続される構成となっている。
【００２８】
放送受信制御部１０１は、例えば、チューナを含んでおり、ユーザからの入力に基づく切替信号に従ってチャンネル選択動作を行い、所望のチャンネルのテレビジョン放送信号（地上波アナログ／デジタル放送信号、ＢＳ／ＣＳアナログ／デジタル放送信号）を受信する。リモートコントローラ（以下、リモコンと記載する）５００からのチャンネル選択情報をリモコン送受信部１０７で受信し、受信した情報をリモコン情報制御部１０６で解釈し、放送受信制御部１０１の制御を行う。これにより、放送受信制御部１０１から選択されたチャンネルの番組を受信して視聴することが可能である。また、放送受信制御部１０１を介してデータ放送情報も視聴可能である。
【００２９】
ＩＰ放送受信／通信制御部１０２は、ＭＰＥＧ−２（Moving Picture Experts Group phase 2）などによって符号化されたコンテンツデータなどを、インターネットなどのネットワーク４００に接続されたサービスサーバ２００から取得する。これにより、ＩＰ放送やＶｏＤ、コンテンツダウンロードなどのサービスによってコンテンツを視聴することが可能となる。
【００３０】
ダウンロードしたコンテンツや再生関連情報１３０は、ストレージ１０３に格納される。ストレージ１０３は、例えば、ハードディスクドライブなどの記憶装置によって実現される。コンテンツの再生は、メディア処理／表示制御部１０８にて行われ、ＣＰＵ１０４での演算処理によりＭＰＥＧ−２などで符号化されたコンテンツを復号化して、ディスプレイ１１０やスピーカ１１１などの出力装置を利用して再生する。なお、メインメモリ１０５、ワークメモリ１０９は、それぞれ、ＣＰＵ１０４やメディア処理／表示制御部１０８がコンテンツ再生などの処理を行う際に、コンテンツデータをはじめとする種々のデータを展開する記憶媒体である。
【００３１】
図４において、コンテンツ制御部１２０は、外部入力インタフェース（Ｉ／Ｆ）１２１、再生関連情報管理部１２２、再生制御部１２３、ダウンローダ１２４、ダウンロード制御情報管理部１２５、デクリプタ１２６を有する構成となっている。
【００３２】
ＩＰ放送受信／通信制御部１０２を介して取得した、再生関連情報１３０および既存のネットテレビ等で用いられている再生制御情報やダウンロード制御情報は、それぞれ、再生関連情報管理部１２２、再生制御部１２３、ダウンロード制御情報管理部１２５にて保持・管理される。また、ダウンロードしたコンテンツデータは、ストレージ１０３にて保持する。
【００３３】
ダウンローダ１２４は、ＩＰ放送受信／通信制御部１０２を介して、ネットワーク４００経由でサービスサーバ２００から上記各種情報とコンテンツデータのダウンロードを行う。また、再生するコンテンツの選択に必要な視聴者の属性情報を、ＩＰ放送受信／通信制御部１０２を通してダウンロードする。この属性情報には、コンテンツ提供者が、予め日時やショールームでのイベント開催の情報などに基づいて、来客者の属性情報（年齢、性別、個人・家族連れ等）を設定しておくことが可能である。
【００３４】
また、外部入力Ｉ／Ｆ１２１を介して、外部にある既存の属性検出部３００から属性情報を取得してもよい。属性検出部３００は、外部入力Ｉ／Ｆ１２１を介した接続に限らず、図３に示すように、ネットワーク４００に接続されているものであってもよい。属性検出部３００としては、例えば、ビデオカメラ等を用いた画像認識技術を利用して、来客者の性別や年齢等の属性を検出する手段などが考えられる。
【００３５】
再生関連情報管理部１２２は、サービスサーバ２００から取得した再生関連情報１３０、およびサービスサーバ２００もしくは属性検出部３００から取得した属性情報に基づいて、再生するコンテンツを選択する。再生制御部１２３は、再生関連情報管理部１２２にて選択された再生するコンテンツの情報と、サービスサーバ２００から取得した再生制御情報に基づいて、ストレージ１０３に蓄積されているコンテンツの再生を制御する。なお、デクリプタ１２６は、コンテンツが暗号化されている場合の復号処理を行う。
【００３６】
図１のフローチャートにおいて、カーディーラーなどのショールームに設置されているコンテンツ受信再生装置１００の電源がＯＮされると、当該コンテンツ受信再生装置１００は、広告情報を自動再生して提供するよう自動再生の設定がされているため（Ｓ１０１）、ダウンローダ１２４は、サービスサーバ２００に登録されている再生関連情報１３０およびダウンロード制御情報を取得する（Ｓ１０３、Ｓ１０４）。
【００３７】
サービスサーバ２００は、複数のショールームで提供される広告のコンテンツを一元管理するサーバであり、サービスサーバ２００のＩＰアドレス等の情報は予めコンテンツ受信再生装置１００に登録してあってもよい。また、リモコン５００と、コンテンツ受信再生装置１００が提供するユーザインタフェースを使用して、ショールームのスタッフ等がサービスサーバ２００に関する情報を入力することにより、接続するサービスサーバ２００を適宜切り替えてもよい。
【００３８】
その後、コンテンツ受信再生装置１００内の広告のコンテンツを最新のものに更新し（Ｓ１０５、Ｓ１０６）、再生関連情報１３０に含まれる再生関連情報１３０に記載されている内容と、季節、曜日、時間帯、ショールームでのイベント開催等の条件に応じて設定された来客者の属性情報とに基づいて、再生する広告を自動的に選択し（Ｓ１０７）、来客者のニーズに即した広告を自動的に再生する（Ｓ１０８）。提供する広告コンテンツは、各ショールームのコンテンツ受信再生装置１００の起動時に予めダウンロードされるため（Ｓ１０５、Ｓ１０６）、ネットワーク４００の帯域が十分に確保できない回線であっても、広告コンテンツの高品質な再生が可能である。
【００３９】
以上では、コンテンツ提供者が予め想定する来客層等に応じて属性情報を設定し、自動再生する方法の例について述べた。しかし、ショールーム等においては、来客層等が常に想定する状況になるとは限らないので、想定外の来客状況に応じて提供コンテンツを変更することが必要となる。そこで、コンテンツの再生時（Ｓ１０８）において、リモコン５００等による操作によって、コンテンツを提供する対象となる来客層の属性情報を動的に変更する方法について説明する。
【００４０】
図３において、リモコン５００からの操作信号は、リモコン送受信部１０７およびリモコン情報制御部１０６を通してコンテンツ制御部１２０に入力される。ここで、リモコン５００での操作は、例えば、チャンネル番号選択やチャンネルアップ／ダウン等の単純な操作である。コンテンツ受信再生装置１００の各チャンネルと来客層のタイプ等の属性情報とを関連づけておき、コンテンツの再生中（Ｓ１０８）に、ショールームのスタッフがリモコン５００によってチャンネル選択する程度の操作で属性情報を変更し、再度再生するコンテンツを選択し直す（Ｓ１０７）ことで、来客層の状況に応じて提供する広告コンテンツを適宜切り替えることが可能となる。
【００４１】
ここで、広告コンテンツを切り替える際に、現在の来客層の属性に対して提供されるコンテンツに複数のコンテンツ（コンテンツのグループ）が該当している場合、例えば、リモコン５００でのチャンネルアップ／ダウン等の操作によって、来客者の属性情報を変更せずに、コンテンツのグループ内で再生するコンテンツをザッピング操作の要領で順次切り替えることができる。また、上述のように、例えばリモコン５００の複数のボタンにそれぞれ来客層の属性を割り当てておき、当該ボタンの操作によって来客層の属性情報を切り替えて、再生するコンテンツのグループを動的に切り替えることも可能である。
【００４２】
さらに、例えば、リモコン５００での操作内容の情報をサービスサーバ２００で管理することにより、日時や天候等の情報と来客層との関連などを把握することができ、将来のコンテンツ提供の情報として利用することができる。なお、本実施の形態では、チャンネル等を切り替える操作をする際にリモコン５００を用いているが、リモコン５００を用いずに、コンテンツ受信再生装置１００を直接操作して切り替えを行ってもよいことはいうまでもない。
【００４３】
また、ショールームのスタッフがリモコン５００等を操作して提供コンテンツを切り替えるだけでなく、例えば、ショールームに設置したビデオカメラ等を用いた画像認識技術を利用して来場者の性別、人数、年齢層等を把握し、状況に応じて提供する広告コンテンツを動的に切り替える方法をとることも可能である。
【００４４】
その場合、既存の画像認識装置により構成される属性検出部３００から、例えば、ショールーム内のネットワーク等を介して、コンテンツ受信再生装置１００のＩＰ放送受信／通信制御部１０２に画像認識情報を入力する。コンテンツ制御部１２０にて、入力された画像認識情報に基づいて来客層の状況を判断し、再生関連情報１３０を利用して提供する広告コンテンツを来客者のニーズに合ったものに選択し直し（Ｓ１０７）、選択された広告コンテンツの再生を行う（Ｓ１０８）。
【００４５】
以上のように、本発明の一実施の形態であるコンテンツ配信システムにおけるコンテンツ受信再生方法によれば、ネットワーク４００の帯域が十分に確保できない回線においても、コンテンツを予めダウンロードしておくことにより、高品質でコンテンツを再生することが可能となる。また、ユーザによる特定のコンテンツを選択する操作を必要とせずに、ユーザ属性などの状況に応じてコンテンツ提供者が意図したコンテンツを自動的に再生することが可能となる。
【００４６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００４７】
本発明は、コンテンツが配信されるネットワークに対応する送信装置、受信端末、およびそれらを含むシステムに利用可能である。
【図面の簡単な説明】
【００４８】
【図１】本発明の一実施の形態のコンテンツ配信システムにおける、コンテンツ受信再生装置の電源をＯＮしてからコンテンツを再生するまでの処理の例を示すフローチャートである。
【図２】本発明の一実施の形態のコンテンツ配信システムにおける再生関連情報の一例を示した図である。
【図３】本発明の一実施の形態のコンテンツ配信システムにおける、コンテンツ受信再生装置のハードウェア構成の一例を示す図である。
【図４】本発明の一実施の形態のコンテンツ配信システムにおける、コンテンツ受信再生装置内のコンテンツ制御部の機能ブロックの一例を示す図である。
【図５】従来技術によるコンテンツの受信から再生までの流れの例を示すフローチャートである。
【符号の説明】
【００４９】
１００…コンテンツ受信再生装置、１０１…放送受信制御部、１０２…ＩＰ放送受信／通信制御部、１０３…ストレージ、１０４…ＣＰＵ、１０５…メインメモリ、１０６…リモコン情報制御部、１０７…リモコン送受信部、１０８…メディア処理／表示制御部、１０９…ワークメモリ、１１０…ディスプレイ、１１１…スピーカ、１２０…コンテンツ制御部、１２１…外部入力Ｉ／Ｆ、１２２…再生関連情報管理部、１２３…再生制御部、１２４…ダウンローダ、１２５…ダウンロード制御情報管理部、１２６…デクリプタ、１３０…再生関連情報、２００…サービスサーバ、３００…属性検出部、４００…ネットワーク、５００…リモコン。
【図１】
2010016534.tif 000003
【図２】
2010016534.tif 000004
【図３】
2010016534.tif 000005
【図４】
2010016534.tif 000006
【図５】
2010016534.tif 000007